(57)【要約】【課題】 場所を取らずに且つ安定して設置でき、栽培する野菜の種類に応じて必要な培土の深さを確保可能な栽培用袋及び該栽培用袋の支持具を提供する。【解決手段】  培土２０が充填され、栽培容器１０ａ，１０ａとして使用される栽培用袋１０Ａに、幅方向に延伸する切り込み線１を設け、当該切り込み線１に切り込みを入れることで、一つの栽培用袋１０Ａから、その高さ方向両端部１１を底面とする二つの栽培容器１０ａが形成されるように構成した。【選択図】図１
0003159149.tif 000002
【実用新案登録請求の範囲】
【請求項１】
培土が充填され、栽培容器として使用される栽培用袋であって、
高さ方向及び幅方向の少なくとも一方向に延伸する切り込み線が設けられ、当該切り込み線に切り込みを入れることで、前記高さ方向両端部又は前記幅方向両端部を底面とする二つの栽培容器が形成されるようになっていることを特徴とする栽培用袋。
【請求項２】
前記切り込み線は、所定間隔を空けて複数本設けられていることを特徴とする請求項１に記載の栽培用袋。
【請求項３】
前記栽培容器の底面となる前記高さ方向両端部又は前記幅方向両端部の近傍には、排水孔又は排水孔用形成印が設けられていることを特徴とする請求項１又は請求項２に記載の栽培用袋。
【請求項４】
底部と、当該底部の両端部から略垂直方向に延伸する一対の側部と、からなり、請求項１から請求項３のいずれかに記載の栽培用袋から形成された栽培容器の底面を、前記底部の上面に載せて支持することを特徴とする栽培用袋支持具。
【請求項５】
前記側部には、支柱挿入用の筒状開口部が設けられていることを特徴とする請求項４に記載の栽培用袋支持具。
【考案の詳細な説明】
【技術分野】
【０００１】
本考案は、培土が充填された状態で輸送及び貯蔵され、且つ、そのまま栽培容器として使用できる栽培用袋及び該栽培用袋の支持具に関するものである。
【背景技術】
【０００２】
近年、培土が充填された袋を、そのまま栽培容器として使用し、トマトやキュウリ等の野菜を栽培する袋栽培についての技術が種々提案されている。この袋栽培は、培土をプラスチック製等のプランターに植え直す手間が省けたり、ゴミを減らすことができたり、袋の開口部を持って容易に移動できたり、連作障害を回避できるなどの利点がある。
【０００３】
このような袋栽培の一例として、特許文献１では、培土が充填された栽培用袋の周面の一部に野菜の苗を植栽可能な切り込みを設け、当該切り込みを上方に向けて、他の周面が底面となるように栽培用袋を横倒しに設置した状態で、１つのプランターとして用いることが提案されている。
【０００４】
また、特許文献２では、培土が充填された栽培用袋の高さ方向一端部を開口し、当該開口部を上方に向けて、高さ方向他端部が底面となるように栽培用袋を立てて設置した状態で、１つのプランターとして用いることが提案されている。
【特許文献１】特開平１０−２３８３４号公報
【特許文献２】特開２００１−１５７５１７号公報
【考案の開示】
【考案が解決しようとする課題】
【０００５】
しかしながら、上述した特許文献１においては、栽培用袋を横倒しで設置するため、栽培用袋を立てて設置する場合と比べて、安定して設置できるものの、広い設置スペースが必要であるという不具合や、培土の深さが浅すぎるため、栽培できる野菜の種類に限りがあるという不具合があった。
【０００６】
一方、上述した特許文献２においては、栽培用袋を立てて設置するため、栽培用袋を横倒しで設置する場合と比べて、広い設置スペースは必要ないが、安定して支持することが難しいという不具合や、培土の深さが深すぎて、それほど根が張らない野菜を栽培するには適さないという不具合があった。
【０００７】
そこで、本考案は、上記事情に鑑みてなされたものであり、場所を取らずに且つ安定して設置でき、栽培する野菜の種類に応じて必要な培土の深さを確保可能な栽培用袋及び該栽培用袋の支持具を提供することを課題としている。
【課題を解決するための手段】
【０００８】
このような課題を解決するために、本考案に係る栽培用袋は、培土が充填され、栽培容器として使用される栽培用袋であって、高さ方向及び幅方向の少なくとも一方向に延伸する切り込み線が設けられ、当該切り込み線に切り込みを入れることで、前記高さ方向両端部又は前記幅方向両端部を底面とする二つの栽培容器が形成されるようになっている構成とした。
【０００９】
すなわち、栽培用袋の高さ方向に延伸する切り込み線を設け、当該切り込み線に切り込みを入れた場合には、栽培用袋の幅方向両端部を底面とする二つの栽培容器が形成され、一方、栽培用袋の幅方向に延伸する切り込み線を設け、当該切り込み線に切り込みを入れた場合には、栽培用袋の高さ方向両端部を底面とする二つの栽培容器が形成される。
【００１０】
なお、切り込み線は、使用者が栽培容器を形成する際に、ハサミやカッター等の刃物で切り込みが入れられるように印刷により設けてもよいし、使用者が手で容易に切り込みが入れられるようにミシン目等により設けてもよい。
【００１１】
本構成によれば、一つの栽培用袋から二つの栽培容器が形成されるようにしたことにより、一つの栽培用袋から一つの栽培容器を形成する従来技術と比べて、場所を取らずに且つ安定して設置することができるとともに、連鎖障害を効率よく回避できる。
【００１２】
また、本構成によれば、栽培用袋に設ける切り込み線の延伸方向を変えることで、形成される栽培容器の深さを調整することができるため、栽培する野菜の種類に応じて必要な培土の深さを確保することができる。
【００１３】
さらに、本構成によれば、栽培用袋に設ける切り込み線を、栽培用袋の高さ方向に延伸する線と幅方向に延伸する線との両方設けることで、使用者が栽培する野菜の種類に応じて、適宜切り込み線を選択して切り込みを入れることができる。これにより、形成される栽培容器の深さを調整することができるため、栽培する野菜の種類に応じて必要な培土の深さを効率よく確保することができる。
【００１４】
ここで、本考案に係る栽培用袋において、前記切り込み線は、所定間隔を空けて複数本設けられている構成としてもよい。
本構成によれば、栽培用袋の高さ方向及び幅方向の少なくとも一方に延伸する切り込み線を、所定間隔で複数本設けることで、使用者が選択する切り込み線に応じて、形成される栽培容器の深さを適宜調整することができる。これにより、栽培する野菜の種類に応じて必要な培土の深さを効率よく確保することができる。
【００１５】
また、本考案に係る栽培用袋においては、前記栽培容器の底面となる前記高さ方向両端部又は前記幅方向両端部の近傍に、排水孔又は排水孔用形成印が設けられた構成としてもよい。なお、予め栽培用袋に設けられる排水孔は、栽培用袋に充填される培土の粒径よりも小さくすることが好ましい。また、排水用形成印は、例えば、印刷やミシン目等により栽培用袋に設けられ、使用者が栽培容器を形成する際に、ハサミやカッター等の刃物や手で排水孔が開けられるように設けるようにする。
【００１６】
本構成によれば、栽培用袋において、栽培容器の底面となる部分の近傍に排水孔又は排水孔用形成印を設けたことにより、栽培容器内に必要以上の水が溜まらず、栽培容器外に排水されるため、根腐れ等の不具合を生じ難くできる。
【００１７】
さらに、本考案に係る栽培用袋支持具は、底部と、当該底部の両端部から略垂直方向に延伸する一対の側部と、からなり、本考案に係る栽培用袋から形成された栽培容器の底面を、前記底部の上面に載せて支持する構成とした。
本構成によれば、栽培用袋支持具を底部と一対の側部とで構成し、当該底部の上面に、栽培用袋から形成された栽培容器の底面を載せて支持するようにしたことにより、栽培容器をさらに安定して設置することができる。
【００１８】
ここで、本考案に係る栽培用袋支持具において、前記側部には、支柱挿入用の筒状開口部が設けられている構成としてもよい。
本構成によれば、栽培用袋支持具の側部に、支柱挿入用の筒状開口部を設けたことにより、野菜の茎や蔓を巻き付ける支柱を安定して固定することができるため、トマト、ナス、キュウリ、ピーマン、エンドウ等の茎や蔓が伸びる野菜の栽培を効率よく行うことができる。
【考案の効果】
【００１９】
本考案に係る栽培用袋によれば、場所を取らずに且つ安定して設置することができるとともに、栽培する野菜の種類に応じて必要な培土の深さを確保することが可能となる。
【００２０】
さらに、本考案に係る栽培用袋支持具によれば、本考案に係る栽培用袋をさらに安定して設置することが可能となる。
【考案を実施するための最良の形態】
【００２１】
以下、本考案に係る実施形態について、図面を参照しながら詳細に説明する。
【００２２】
＜第１実施形態＞
図１は、本考案に係る栽培用袋の一例を示し、（ａ）は斜視図、（ｂ）は栽培容器としての使用状態を示す斜視図である。
【００２３】
この栽培用袋１０Ａは、図１（ａ）に示すように、ポリオレフィン系フィルムからなる長方形の袋であり、内部に所定量の培土２０が充填された状態で、高さ方向両端部１１が融着により閉じられている。
また、この栽培用袋１０Ａの表面における高さ方向中間位置には、幅方向に延伸する切り込み線１が栽培用袋１０Ａの全周に渡って印刷されており、この栽培用袋１０Ａの表面における各角部近傍には、円形状の排水孔形成用印３が印刷されている。
【００２４】
この栽培用袋１０Ａは、培土２０が充填された状態で、販売、輸送、貯蔵等されるとともに、切り込み線１に切り込みを入れて所定場所に設置することで、栽培容器１０ａとして使用することができる。
【００２５】
次に、このような栽培用袋１０Ａの使用方法について説明する。
まず、栽培用袋１０Ａを横倒しにした状態で置き、栽培用袋１０Ａの表面に設けられた切り込み線１のうち、上面側に位置する半周分だけ、ハサミやカッター等の刃物を用いて切り込みを入れる。
すなわち、切り込み線１のうち、横倒しに置かれた栽培用袋１０Ａの底面に位置する部分の切り込み線１は、切り込みを入れずにおく。また、同様に、ハサミやカッター等の刃物を用いて、栽培用袋１０Ａの各角部近傍に設けられた排水孔用形成印３に切り込みを入れて、排水孔３Ｈを形成する。
【００２６】
次に、切り込みを入れずにおいた切り込み線１に沿って山折となるように、栽培用袋１０Ａを半分に折り曲げて、切り込みによる開口部を上方に向け、栽培用袋１０Ａの高さ方向両端部１１がそれぞれ底面となるように設置する。これにより、一つの栽培用袋１０Ａがその高さ方向に二等分されて、深さHと容積が略同一の二つの栽培容器１０ａが形成される。
そして、図１（ｂ）に示すように、得られた二つの栽培容器１０ａの各開口部から培土２０に苗を植えて、野菜（植物）３０の栽培を行う。
【００２７】
本実施形態における栽培用袋１０Ａによれば、一つの栽培用袋１０Ａから略同一容積の二つの栽培容器１０ａが形成されるようにしたことにより、一つの栽培用袋から一つの栽培容器を形成する従来技術と比べて、場所を取らずに且つ安定して設置することができるとともに、連鎖障害を効率よく回避することができる。
【００２８】
また、本実施形態における栽培用袋１０Ａによれば、その高さ方向中間位置に、幅方向に延伸する切り込み線１が設けられていることにより、得られる栽培容器１０ａの深さＨを、上述した特許文献１に記載の栽培用袋から得られる栽培容器の深さと、上述した特許文献２に記載の栽培用袋から得られる栽培容器の深さの中間の深さにすることができる。
よって、栽培容器１０ａ内に充填された培土の深さを、上述した特許文献１に記載の栽培用袋を用いた場合よりも深く、上述した特許文献２に記載の栽培用袋を用いた場合よりも浅くする必要がある野菜を、好適に栽培することができる。
【００２９】
さらに、本実施形態における栽培用袋１０Ａによれば、切り込み線１を、高さ方向中間位置に設けるとともに、切り込みを半周分だけ入れることで、二つの栽培容器１０ａを開口部の一部でつながった状態で形成したことにより、二つの栽培容器１０ａどうしが互いにもたれ掛かった状態で支持されるため、さらに安定して設置することができる。
【００３０】
さらに、本実施形態における栽培用袋１０Ａによれば、栽培容器１０ａの底面となる栽培用袋１０Ａの各角部近傍に排水孔用形成印３を設けて、使用者が使用時にハサミやカッター等の刃物で自ら排水孔３Ｈを形成して使用できるようにしたことにより、栽培容器１０ａ内に必要以上の水が溜まらず、栽培容器１０外に排水されるため、根腐れ等の不具合を生じ難くできる。
【００３１】
＜第２実施形態＞
図２は、本考案に係る栽培用袋の一例を示し、（ａ）は斜視図、（ｂ）は栽培容器としての使用状態を示す斜視図である。
【００３２】
本実施形態は、第１実施形態で示した栽培用袋１０Ａにおいて、切り込み線１の形成位置のみを変更したものである。すなわち、この栽培用袋１０Ｂは、図２（ａ）に示すように、その表面における幅方向中間位置に、高さ方向に延伸するように栽培用袋１０Ｂの全周に渡って切り込み線２が印刷されている。
【００３３】
この栽培用袋１０Ｂの使用方法は、まず、上述した第１実施形態と同様の手順で、切り込み線２に切り込みを入れることで、切り込みによる開口部を上方に向け、栽培用袋１０Ｂの幅方向両端部１２がそれぞれ底面となるように設置する。これにより、一つの栽培用袋１０Ｂがその幅方向に二等分されて、深さＨと容積が略同一の二つの栽培容器１０ｂが形成される。
そして、得られた二つの栽培容器１０ｂの各開口部から培土２０に苗を植えて、野菜（植物）３０の栽培を行う。
【００３４】
本実施形態における栽培用袋１０Ｂによれば、上述した第１実施形態で示した栽培容器１０ａとは深さＨが異なるが、上述した第１実施形態と同様の効果が得られる。すなわち、上述した第１実施形態で示した栽培容器１０ａよりも深さＨの浅い栽培容器１０ｂを形成したい場合には、栽培用袋１０Ｂの高さ方向に延伸する切り込み線２が設けられた栽培用袋１０Ｂを用いればよい。
【００３５】
＜第３実施形態＞
図３は、本考案に係る栽培用袋の一例を示し、（ａ）は斜視図、（ｂ），（ｃ）は栽培容器としての使用状態を示す斜視図である。
【００３６】
本実施形態は、第１実施形態で示した栽培用袋１０Ａに設けた幅方向に延伸する切り込み線１と、第２実施形態で示した栽培用袋１０Ｂに設けた高さ方向に延伸する切り込み線２との両方を設けたものである。また、各切り込み線１，２は、それぞれ所定間隔を空けて複数本（本実施形態では２本）ずつ設けている。
【００３７】
すなわち、この栽培用袋１０Ｃは、図３（ａ）に示すように、その幅方向に栽培用袋１０Ｃの全周に渡って延伸する切り込み線１として、上述した第１実施形態と同様に、高さ方向中間位置の切り込み線１Ａと、当該切り込み線１Ａと高さ方向一端部との中間位置の切り込み線１Ｂと、が印刷されている。
また、この栽培用袋１０Ｃは、図３（ａ）に示すように、その高さ方向に栽培用袋１０Ｃの全周に渡って延伸する切り込み線２として、上述した第２実施形態と同様に、幅方向中間位置の切り込み線２Ａと、当該切り込み線２Ａと幅方向一端部との中間位置の切り込み線２Ｂと、が印刷されている。
【００３８】
この栽培用袋１０Ｃの使用方法は、上述した第１実施形態と同様の手順で、まず、栽培する野菜の種類に応じて、使用者が適宜切り込み線１Ａ，１Ｂ，２Ａ，２Ｂのいずれかを選択して切り込みを入れることで、切り込みによる開口部を上方に向け、栽培用袋１０Ｃの高さ方向両端部１１又は幅方向両端部１２がそれぞれ底面となるように設置する。これにより、一つの栽培用袋１０Ｃがその高さ方向又は幅方向に二分されて、二つの栽培容器１０ｂが形成される。
そして、得られた二つの栽培容器１０ｃ、１０ｄの各開口部から培土２０に苗を植えて、野菜（植物）３０の栽培を行う。
ここで、上述した第１実施形態及び第２実施形態とは異なる部分の切り込み線１Ｂ，２Ｂに切り込みを入れる場合には、図３（ｃ），（ｄ）に示すように、深さＨが異なる二つの栽培容器１０ｃ，１０ｄが形成されるため、栽培用袋１０Ｃの表面に設けられた切り込み線１Ｂ，２Ｂの全周に渡って切り込みを入れる必要がある。
【００３９】
具体的に、栽培用袋１０Ｃの表面における高さ方向中間位置の切り込み線１Ａに切り込みを入れた場合には、図１（ｂ）に示すように、第１実施形態と同様の二つの栽培容器１０ａが形成され、栽培用袋１０Ｃの表面における幅方向中間位置の切り込み線２Ａに切り込みを入れた場合には、図２（ｂ）に示すように、第２実施形態と同様の二つの栽培容器１０ｂが形成される。
【００４０】
一方、栽培用袋１０Ｃの高さ方向中間位置と、高さ方向一端部との中間位置に設けられた切り込み線１Ｂに切り込みを入れた場合には、図３（ｂ）に示すように、一つの栽培用袋１０Ｃをその高さ方向に略１：３の割合で二分して、深さＨと容積が異なる二つの栽培容器１０ｃが形成される。
【００４１】
また、栽培用袋１０Ｃの幅方向中間位置と、幅方向一端部との中間位置に設けられた切り込み線２Ｂに切り込みを入れた場合には、図３（ｃ）に示すように、一つの栽培用袋１０Ｃをその幅方向に略１：３の割合で二分して、深さＨと容積が異なる二つの栽培容器１０ｄが形成される。
【００４２】
本実施形態における栽培用袋１０Ｃによれば、上述した第１実施形態及び第２実施形態と同様の効果が得られる。
また、本実施形態における栽培用袋１０Ｃによれば、栽培用袋１０Ｃの高さ方向及び幅方向に延伸する切り込み線１，２を、所定間隔で複数本ずつ設けたことにより、使用者が選択する切り込み線１Ａ，１Ｂ，２Ａ，２Ｂに応じて、形成される栽培容器１０ａ〜１０ｄの深さＨを適宜調整することができる。これにより、栽培する野菜の種類に応じて最適な培土の深さを確保することができる。
【００４３】
さらに、本実施形態における栽培用袋１０Ｃによれば、切り込み線１Ｂ，２Ｂを選択した場合、深さＨの異なる二つの栽培容器１０ｃ，１０ｄがそれぞれ分断して形成されるため、各栽培容器１０ｃ，１０ｄをそれぞれ別個に設置することができる。よって、搬送効率や、設置場所の自由度を向上させることができる。
【００４４】
なお、第１〜第３実施形態においては、栽培用袋１０Ａ〜１０Ｃの表面に印刷により切り込み線１，２を設け、使用者がハサミやカッター等の刃物を用いて栽培用袋１０Ａ〜１０Ｃを二分するようにした場合について説明したが、切り込み線１，２の設置方法はこれに限らず、例えば、ミシン目等により切り込み線１，２を設け、使用者が栽培用袋１０Ａ〜１０Ｃを手で二分できるようにしてもよい。
【００４５】
また、本実施形態においては、栽培用袋１０Ａ〜１０Ｃの表面に印刷により排水孔用形成印３を設け、使用者がハサミやカッター等の刃物を用いて栽培用袋１０Ａ〜１０Ｃに排水孔３Ｈを形成するようにした場合について説明したが、これに限らず、栽培用袋１０Ａ〜１０Ｃの表面に予め排水孔３Ｈを形成しておいてもよい。この場合、排水孔３Ｈは、栽培用袋１０Ａ〜１０Ｃに充填された培土が零れない程度の大きさにする必要がある。
【００４６】
さらに、本実施形態においては、深さＨと容積が略同一の二つの栽培容器１０ａ，１０ｂを形成する際、二つの栽培容器１０ａ，１０ｂがそれぞれ開口部の一部でつながった状態で形成されるように切り込みを入れた場合について説明したが、これに限らず、深さＨと容積がほぼ同一の二つの栽培容器１０ａ，１０ｂをそれぞれ分断して形成してもよい。
【００４７】
さらに、本実施形態においては、栽培用袋１０Ａ〜１０Ｃの素材として、ポリオレフィン系フィルムを用いた場合について説明したが、これに限らず、例えば、紙、各種繊維の織布、不織布、生体分解性フィルム、プラスチックフィルム、及びこれらの複合体を用いてもよい。
【００４８】
＜第４実施形態＞
図４は、本考案に係る栽培用袋支持具を示し、（ａ）はその一例を示す斜視図、（ｂ）は図４（ａ）の使用状態を示す斜視図、（ｃ）はその他の例を示す斜視図である。
【００４９】
この栽培用袋支持具４０は、図４（ａ）に示すように、金属素材を用いて一体成形することで形成されており、平板状の底部４１と、当該底部４１の両端部から略垂直方向に延伸する平板状の一対の側部４２と、からなる。
また、側部４２には、金属素材や樹脂素材等からなる支柱挿入用の筒状開口部４３が固定されている。
【００５０】
この栽培用支持具４０は、本実施形態における栽培用袋１０Ｃから形成された栽培容器１０ｃの底面を、それぞれ底部４１の上面に載せて支持するように構成されている。
【００５１】
本実施形態における栽培用支持具４０によれば、図３（ｃ）に示したように、栽培用袋１０Ｃから二つの栽培容器１０ｃを分断して形成した場合であっても、各栽培容器１０ｃを安定して支持することができる。よって、この栽培用袋支持具４０を用いることにより、袋栽培を安定して行うことができる。
【００５２】
また、本実施形態における栽培用支持具４０によれば、その側部４２に支柱挿入用の筒状開口部４３が設けられているため、図４（ａ）に示すように、野菜（植物）３０の茎や蔓を巻き付ける支柱５０を安定して固定することができるため、トマト、ナス、キュウリ、ピーマン、エンドウ等の茎や蔓が伸びる野菜３０の栽培を効率よく行うことができる。
【００５３】
なお、栽培用支持具４０の素材や形状はこれに限らず、樹脂素材を用いて形成してもよいし、図４（ｃ）に示すように、針金等を折り曲げて栽培用支持具４０Ａを形成してもよい。
【図面の簡単な説明】
【００５４】
【図１】本考案に係る栽培用袋の一例を示し、（ａ）は斜視図、（ｂ）は栽培容器としての使用状態を示す斜視図である。
【図２】本考案に係る栽培用袋の他の例を示し、（ａ）は斜視図、（ｂ）は栽培容器としての使用状態を示す斜視図である。
【図３】本考案に係る栽培用袋の他の例を示し、（ａ）は斜視図、（ｂ），（ｃ）は栽培容器としての使用状態を示す斜視図である。
【図４】本考案に係る栽培用袋支持具を示し、（ａ）はその一例を示す斜視図、（ｂ）は図４（ａ）の使用状態を示す斜視図、（ｃ）はその他の例を示す斜視図である。
【符号の説明】
【００５５】
１  栽培用袋の幅方向に延伸する切り込み線
２  栽培用袋の高さ方向に延伸する切り込み線
３    排水孔用形成印
３Ｈ  排水孔
１０Ａ〜１０Ｃ  栽培用袋
１１    栽培用袋の高さ方向両端部
１２    栽培用袋の幅方向両端部
２０    培土
３０    野菜（植物）
４０    栽培用袋支持具
４１    底部
４２    側部
４３    支柱挿入用筒状開口部
Ｈ      栽培容器の深さ
【図１】
0003159149.tif 000003
【図２】
0003159149.tif 000004
【図３】
0003159149.tif 000005
【図４】
0003159149.tif 000006